(57)【要約】【課題】センサによる計測結果を収集するセンサシステムにおいて、センサの保守性を向上させるとともに、計測結果の収集をより良好に行うことが可能なセンサシステム、電圧変換装置およびセンサを提供する。【解決手段】センサシステムは、管理対象に関する計測を行い、計測結果を示すセンサ情報を有線伝送する複数のセンサと、各前記センサから受信した前記センサ情報を他の装置へ無線伝送する無線通信装置とを備え、前記各センサのうちの少なくともいずれか１つである対象センサは、前記管理対象に供給される電力から得られる電力を用いて動作する。【選択図】図１
2015210756.tif 000002
【特許請求の範囲】
【請求項１】
管理対象に関する計測を行い、計測結果を示すセンサ情報を有線伝送する複数のセンサと、
各前記センサから受信した前記センサ情報を他の装置へ無線伝送する無線通信装置とを備え、
前記各センサのうちの少なくともいずれか１つである対象センサは、前記管理対象に供給される電力から得られる電力を用いて動作する、センサシステム。
【請求項２】
前記センサシステムは、さらに、
前記管理対象に供給される電圧を変換して前記対象センサに供給する電圧変換装置を備え、
前記電圧変換装置は、前記無線通信装置を含む、請求項１に記載のセンサシステム。
【請求項３】
前記対象センサは、前記電圧変換装置によって変換された電圧が自己に供給される電力線を介して前記センサ情報を送信する電力線通信部を含み、
前記電圧変換装置は、前記電力線を介して前記対象センサからの前記センサ情報を受信する電力線通信部を含む、請求項２に記載のセンサシステム。
【請求項４】
管理対象に関する計測を行い、計測結果を示すセンサ情報を有線伝送する複数のセンサを備えるセンサシステムにおける電圧変換装置であって、
前記管理対象に供給される電圧を変換して各前記センサのうちの少なくともいずれか１つに供給する電圧変換回路と、
前記各センサから受信した前記センサ情報を他の装置へ無線伝送する無線通信部とを備える、電圧変換装置。
【請求項５】
請求項１に記載のセンサシステムにおけるセンサ。
【発明の詳細な説明】
【技術分野】
【０００１】
本発明は、センサシステム、電圧変換装置およびセンサに関し、特に、管理対象に関する計測を行なうセンサシステム、ならびに当該センサシステムにおける電圧変換装置およびセンサに関する。
【背景技術】
【０００２】
近年、管理対象に関する計測結果を無線伝送することが可能な１または複数のセンサを設置し、各センサによる計測結果を示すセンサ情報を基地局において収集するセンサシステムが開発されている。
【０００３】
このようなセンサシステムの一例として、たとえば、特許文献１（特開２００８−２３２９３４号公報）には、以下のような技術が開示されている。すなわち、設備診断システムは、工場に設置される設備のうち回転機械を含む振動発生機械を被診断設備とし、前記被診断設備に付設され、該被診断設備の振動、音響、アコーステイックエミッション、温度のいずれか１種または複数種の状態を測定するセンサと、前記センサと電線を介して接続して前記被診断設備に取り付けられる無線ユニットと、前記無線ユニットからの解析データを受信して集計し、前記被診断設備の状態診断を行なうデータ集計解析装置を備え、前記無線ユニットは、内蔵するバッテリから前記センサに電源線を介して駆動電源を供給する電源供給部と、前記センサから測定信号を信号線を介して受信する受信部と、受信した測定信号をディジタル化するＡ／Ｄ変換部と、該ディジタル化した測定信号の大きさと周波数解析によって得られるスペクトルの演算値からなる解析データを作成する処理部と、前記解析データとディジタル化した測定信号のディジタル波形とをＩＤコードを付して無線送信する送受信部を備える。
【０００４】
また、特許文献２（特許第５０７５７６２号公報）には、以下のような技術が開示されている。すなわち、所定の間隔で観測値を取得するセンサと、所定期間に取得した上記観測値から特徴量を算出する近似計算部と、上記特徴量が所定の閾値を超えるか否かを判定する送信判断部と、上記特徴量が上記所定の閾値を超えた場合、上記所定期間に取得した観測値をサーバに送信する無線通信部とを有する。
【先行技術文献】
【特許文献】
【０００５】
【特許文献１】特開２００８−２３２９３４号公報
【特許文献２】特許第５０７５７６２号公報
【発明の概要】
【発明が解決しようとする課題】
【０００６】
無線伝送が可能なセンサをセンサシステムに用いる構成により、多数のセンサから基地局へセンサ情報を伝送するための有線が不要となり、センサの設置性を向上することができる。
【０００７】
ここで、特許文献１および２に記載の技術では、動力源としてセンサに電池が内蔵されている。
【０００８】
しかしながら、センサに電池を内蔵する場合、工場等、センサが多数設置される場所では、センサの電池交換を行なうために相当な人的リソースおよび時間的リソースが必要となる。また、通信頻度が高い場合、および通信データのサイズが大きい場合等、センサの通信条件によっては、電池交換を頻繁に行なう必要が生じる。
【０００９】
また、センサにおいて電池切れが生じると、電池交換が完了するまでセンサ情報の収集機会損失が発生してしまう。
【００１０】
また、センサが多数設置される場所では、センサ情報を含む無線信号が各センサから送信されるため、無線信号同士の干渉度合いが大きくなり、センサ情報を良好に伝送することが困難となる。
【００１１】
この発明は、上述の課題を解決するためになされたもので、その目的は、センサによる計測結果を収集するセンサシステムにおいて、センサの保守性を向上させるとともに、計測結果の収集をより良好に行なうことが可能なセンサシステム、電圧変換装置およびセンサを提供することである。
【課題を解決するための手段】
【００１２】
（１）上記課題を解決するために、この発明のある局面に係わるセンサシステムは、
管理対象に関する計測を行い、計測結果を示すセンサ情報を有線伝送する複数のセンサと、各前記センサから受信した前記センサ情報を他の装置へ無線伝送する無線通信装置とを備え、前記各センサのうちの少なくともいずれか１つである対象センサは、前記管理対象に供給される電力から得られる電力を用いて動作する。
【００１３】
（４）上記課題を解決するために、この発明のある局面に係わる電圧変換装置は、管理対象に関する計測を行い、計測結果を示すセンサ情報を有線伝送する複数のセンサを備えるセンサシステムにおける電圧変換装置であって、前記管理対象に供給される電圧を変換して各前記センサのうちの少なくともいずれか１つに供給する電圧変換回路と、前記各センサから受信した前記センサ情報を他の装置へ無線伝送する無線通信部とを備える。
【００１４】
（５）上記課題を解決するために、この発明のある局面に係わるセンサは、上記（１）に記載のセンサシステムにおけるセンサである。
【００１５】
本発明は、このような特徴的な処理部を備えるセンサシステムとして実現できるだけでなく、かかる特徴的な処理をステップとする方法として実現したり、かかるステップをコンピュータに実行させるためのプログラムとして実現したり、センサシステムの一部または全部を実現する半導体集積回路として実現したりすることができる。
【００１６】
また、本発明は、このような特徴的な処理部を備える電圧変換装置として実現できるだけでなく、かかる特徴的な処理をステップとする方法として実現したり、かかるステップをコンピュータに実行させるためのプログラムとして実現したり、電圧変換装置の一部または全部を実現する半導体集積回路として実現したりすることができる。
【００１７】
また、本発明は、このような特徴的な処理部を備えるセンサとして実現できるだけでなく、かかる特徴的な処理をステップとする方法として実現したり、かかるステップをコンピュータに実行させるためのプログラムとして実現したり、センサの一部または全部を実現する半導体集積回路として実現したりすることができる。
【発明の効果】
【００１８】
本発明によれば、センサによる計測結果を収集するセンサシステムにおいて、センサの保守性を向上させるとともに、計測結果の収集をより良好に行なうことができる。
【図面の簡単な説明】
【００１９】
【図１】図１は、本発明の第１の実施の形態に係るセンサシステムの構成を示す図である。
【図２】図２は、本発明の第１の実施の形態に係るセンサシステムにおけるセンサの構成を示す図である。
【図３】図３は、本発明の第１の実施の形態に係るセンサシステムにおけるセンサの構成を示す図である。
【図４】図４は、本発明の第２の実施の形態に係るセンサシステムの構成を示す図である。
【図５】図５は、本発明の第２の実施の形態に係るセンサシステムにおけるセンサの構成を示す図である。
【図６】図６は、本発明の第２の実施の形態に係るセンサシステムにおける電圧変換装置の構成を示す図である。
【発明を実施するための形態】
【００２０】
最初に、本発明の実施形態の内容を列記して説明する。
【００２１】
（１）本発明の実施の形態に係るセンサシステムは、管理対象に関する計測を行い、計測結果を示すセンサ情報を有線伝送する複数のセンサと、各前記センサから受信した前記センサ情報を他の装置へ無線伝送する無線通信装置とを備え、前記各センサのうちの少なくともいずれか１つである対象センサは、前記管理対象に供給される電力から得られる電力を用いて動作する。
【００２２】
このように、各センサにおいて作成されるセンサ情報を無線通信装置へ有線伝送し、無線通信装置から各センサ情報を他の装置へ無線伝送する構成により、センサ情報を含む信号同士の干渉が低減し、センサ情報を良好に他の装置へ伝送することができる。また、管理対象に供給される電力から得られる電力を用いて対象センサが動作する構成により、センサの電池交換を行なうための人的リソースおよび時間的リソースが不要となり、電池切れによるセンサ情報の収集機会損失の発生を防ぐことができる。さらに、センサへの電力供給線を短くすることができ、センサの設置性を向上することができる。したがって、本発明の実施の形態に係るセンサシステムでは、センサによる計測結果を収集するセンサシステムにおいて、センサの保守性を向上させるとともに、計測結果の収集をより良好に行なうことができる。
【００２３】
（２）好ましくは、前記センサシステムは、さらに、前記管理対象に供給される電圧を変換して前記対象センサに供給する電圧変換装置を備え、前記電圧変換装置は、前記無線通信装置を含む。
【００２４】
このような構成により、たとえば、管理対象の電源電圧レベルとセンサの電源電圧レベルとが大きく異なる場合でも、管理対象に供給される電力を用いてセンサに電力を良好に供給することができる。また、電圧変換装置内において無線通信装置に電力を供給することができるため、一体化によるシステム構成の簡易化を実現しながら、電力供給経路の簡素化を実現することができる。
【００２５】
（３）より好ましくは、前記対象センサは、前記電圧変換装置によって変換された電圧が自己に供給される電力線を介して前記センサ情報を送信する電力線通信部を含み、前記電圧変換装置は、前記電力線を介して前記対象センサからの前記センサ情報を受信する電力線通信部を含む。
【００２６】
このような構成により、センサへの電力供給経路およびセンサからのセンサ情報の伝送経路を共通化することができるため、システム構成の簡易化を実現することができる。また、電力線は、たとえば大電圧が供給される管理対象への電力供給経路とは電圧変換装置によって隔離されているため、センサ情報を良好に伝送することができる。
【００２７】
（４）本発明の実施の形態に係る電圧変換装置は、管理対象に関する計測を行い、計測結果を示すセンサ情報を有線伝送する複数のセンサを備えるセンサシステムにおける電圧変換装置であって、前記管理対象に供給される電圧を変換して各前記センサのうちの少なくともいずれか１つに供給する電圧変換回路と、前記各センサから受信した前記センサ情報を他の装置へ無線伝送する無線通信部とを備える。
【００２８】
このように、各センサにおいて作成されるセンサ情報を無線通信装置へ有線伝送し、無線通信装置から各センサ情報を他の装置へ無線伝送する構成により、センサ情報を含む信号同士の干渉が低減し、センサ情報を良好に他の装置へ伝送することができる。また、管理対象に供給される電力から得られる電力を用いてセンサが動作可能とする構成により、センサの電池交換を行なうための人的リソースおよび時間的リソースが不要となり、電池切れによるセンサ情報の収集機会損失の発生を防ぐことができる。また、センサへの電力供給線を短くすることができ、センサの設置性を向上することができる。したがって、本発明の実施の形態に係る電圧変換装置では、センサによる計測結果を収集するセンサシステムにおいて、センサの保守性を向上させるとともに、計測結果の収集をより良好に行なうことができる。
【００２９】
（５）本発明の実施の形態に係るセンサは、上記（１）に記載のセンサシステムにおけるセンサである。
【００３０】
このように、各センサにおいて作成されるセンサ情報を無線通信装置へ有線伝送し、無線通信装置から各センサ情報を他の装置へ無線伝送する構成により、センサ情報を含む信号同士の干渉が低減し、センサ情報を良好に他の装置へ伝送することができる。また、管理対象に供給される電力から得られる電力を用いて対象センサが動作する構成により、センサの電池交換を行なうための人的リソースおよび時間的リソースが不要となり、電池切れによるセンサ情報の収集機会損失の発生を防ぐことができる。さらに、センサへの電力供給線を短くすることができ、センサの設置性を向上することができる。したがって、本発明の実施の形態に係るセンサでは、センサによる計測結果を収集するセンサシステムにおいて、センサの保守性を向上させるとともに、計測結果の収集をより良好に行なうことができる。
【００３１】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３２】
＜第１の実施の形態＞
図１は、本発明の第１の実施の形態に係るセンサシステムの構成を示す図である。
【００３３】
図１を参照して、センサシステム３０１は、電圧変換装置１０１と、計測データ収集解析装置１５１と、複数のセンサ２０２と、電力線１８１と、通信線１８２と、分岐回路５１とを備える。
【００３４】
センサシステム３０１は、たとえば、事業者の工場に設置されるモータ１６１およびポンプ１６２の運転管理を行なう。
【００３５】
センサ２０２は、たとえばモータ１６１およびポンプ１６２である管理対象に関する計測を行なう。具体的には、たとえば、センサ２０２は、モータ１６１およびポンプ１６２の振動を計測するセンサ、モータ１６１およびポンプ１６２の音を計測する音センサ、または、モータ１６１およびポンプ１６２に供給される電流を計測する電流センサである。
【００３６】
なお、センサ２０２は、上記のようなセンサに限らず、他の計測、たとえば、気圧、角度、角速度、磁力、照度、電圧、二酸化炭素濃度または一酸化炭素ガス濃度等の計測を行なうセンサであってもよい。
【００３７】
また、管理対象は、モータ１６１およびポンプ１６２に限らず、たとえば、コンプレッサおよびファン等であってもよい。
【００３８】
また、たとえば、１つの管理対象の複数の箇所または複数の測定項目等を複数のセンサ２０２が計測してもよいし、センサ２０２ごとに管理対象が存在してもよい。
【００３９】
センサ２０２は、計測結果を示すセンサ情報を有線伝送する。具体的には、センサ２０２は、センサ情報を通信線１８２経由で電圧変換装置１０１へ送信する。
【００４０】
電圧変換装置１０１は、各センサ２０２から通信線１８２経由で受信したセンサ情報を計測データ収集解析装置１５１へ無線伝送する無線通信装置を含む。
【００４１】
計測データ収集解析装置１５１は、電圧変換装置１０１から受信した各センサ２０２のセンサ情報に基づいて、モータ１６１およびポンプ１６２の故障予測、モータ１６１およびポンプ１６２の状態の管理者への報告、およびセンサ情報の表示等を行なう。
【００４２】
各センサ２０２は、管理対象に供給される電力から得られる電力を用いて動作する。たとえば、電圧変換装置１０１は、管理対象に供給される電圧を変換して対象センサに供給する。
【００４３】
より詳細には、モータ１６１およびポンプ１６２は、交流電源１７１から供給される交流電力を用いて動作する。
【００４４】
電圧変換装置１０１は、たとえばポンプ１６２に供給される交流電源１７１からの交流電圧を分岐回路５１経由で受けて、受けた交流電圧を直流電圧に変換し、電力線１８１経由で各センサ２０２に供給する。センサ２０２は、電圧変換装置１０１から供給される直流電圧を用いて動作する。たとえば、電圧変換装置１０１は、モータ１６１およびポンプ１６２の近くに配置される。これにより、電力線１８１の配線長を短くすることができる。
【００４５】
図２は、本発明の第１の実施の形態に係るセンサシステムにおけるセンサの構成を示す図である。
【００４６】
図２を参照して、センサ２０２は、通信部１１と、演算処理部１２と、センサ部１３と、電圧供給部１４とを備える。演算処理部１２は、たとえばＣＰＵ（Ｃｅｎｔｒａｌ  Ｐｒｏｃｅｓｓｉｎｇ  Ｕｎｉｔ）によって実現される。
【００４７】
センサ部１３は、管理対象に関する計測を行い、計測結果を示すセンサ情報を演算処理部１２へ出力する。
【００４８】
演算処理部１２は、センサ部１３から受けたセンサ情報を、たとえば所定のフレームフォーマットのパケットに含めて通信部１１へ出力する。
【００４９】
通信部１１は、演算処理部１２から受けたパケットを、たとえば所定の通信規格に従ったアナログ信号に変換して通信線１８２へ出力する。
【００５０】
なお、各通信線１８２は共通化されてもよい。この場合、各センサ２０２は、たとえばＣＳＭＡ／ＣＤ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ｄｅｔｅｃｔｉｏｎ）方式に従い、センサ情報を通信線１８２へ出力する。
【００５１】
電圧供給部１４は、電力線１８１を介して電圧変換装置１０１から受けた直流電圧を、センサ２０２における各ユニットに供給する。
【００５２】
図３は、本発明の第１の実施の形態に係るセンサシステムにおけるセンサの構成を示す図である。
【００５３】
図３を参照して、電圧変換装置１０１は、通信部（無線通信部）２１と、電圧変換回路２２と、アンテナ２３とを備える。
【００５４】
無線通信装置に相当する通信部２１は、各センサ２０２から通信線１８２を介して受信したセンサ情報を計測データ収集解析装置１５１へ無線伝送する。
【００５５】
より詳細には、通信部２１は、各センサ２０２から通信線１８２を介して受けたセンサ情報を、たとえば、ＩＥＥＥ８０２．１５．４規格に従い、所定のフレームフォーマットのパケットに含め、当該パケットを無線信号に変換してアンテナ２３から送信する。
【００５６】
電圧変換回路２２は、管理対象に供給される電圧を変換して各センサ２０２に供給する。
【００５７】
より詳細には、電圧変換回路２２は、交流電源１７１から分岐回路５１経由で受けた交流電圧を直流電圧に変換し、電力線１８１を介して各センサ２０２に供給する。また、電圧変換回路２２は、交流電源１７１から分岐回路５１経由で受けた交流電圧を直流電圧に変換して通信部２１に供給する。
【００５８】
なお、センサ２０２のすべてが電圧変換装置１０１から供給される直流電圧を用いて動作する構成に限らず、センサ２０２のうちの少なくともいずれか１つが当該直流電圧を用いて動作する構成であればよい。たとえば、センサ２０２は、モータ１６１およびポンプ１６２の振動によって発電する発電部を備え、発電部の発電電力を用いて動作する構成であってもよい。また、たとえば、マイクであるセンサ２０２が存在する場合、当該センサ２０２には、電力線１８１の代わりに専用のケーブルが用いられる。
【００５９】
また、センサシステム３０１は、交流電源１７１の代わりに直流電源を備える構成であってもよい。この場合、電圧変換装置１０１は、当該直流電源から分岐回路５１経由で受けた直流電圧をたとえば降圧して各センサ２０２に供給する。
【００６０】
また、電圧変換装置１０１は、センサシステム３０１の各センサ２０２間で共用される構成に限らず、１または複数のセンサ２０２ごとに複数設けられる構成であってもよい。
【００６１】
また、センサシステム３０１において、電圧変換装置１０１が設けられる代わりに、センサ２０２が電圧変換回路を備える構成であってもよい。この場合、センサシステム３０１において、たとえば、通信部２１相当の機能を有する単独の無線通信装置が設けられる。あるいは、たとえば、各センサ２０２のうちの少なくともいずれか１つが、当該無線通信装置を含む構成であってもよい。
【００６２】
ところで、特許文献１および２に記載の技術のように、動力源としてセンサに電池を内蔵する場合、工場等、センサが多数設置される場所では、センサの電池交換を行なうために相当な人的リソースおよび時間的リソースが必要となる。また、通信頻度が高い場合、および通信データのサイズが大きい場合等、センサの通信条件によっては、電池交換を頻繁に行なう必要が生じる。
【００６３】
また、センサにおいて電池切れが生じると、電池交換が完了するまでセンサ情報の収集機会損失が発生してしまう。
【００６４】
また、センサが多数設置される場所では、センサ情報を含む無線信号が各センサから送信されるため、無線信号同士の干渉度合いが大きくなり、センサ情報を良好に伝送することが困難となる。
【００６５】
これに対して、本発明の第１の実施の形態に係るセンサシステムでは、センサ２０２は、管理対象に関する計測を行い、計測結果を示すセンサ情報を有線伝送する。無線通信装置は、各センサ２０２から受信したセンサ情報を他の装置へ無線伝送する。そして、各センサ２０２のうちの少なくともいずれか１つである対象センサは、管理対象に供給される電力から得られる電力を用いて動作する。
【００６６】
このように、各センサ２０２において作成されるセンサ情報を無線通信装置へ有線伝送し、無線通信装置から各センサ情報を計測データ収集解析装置１５１へ無線伝送する構成により、センサ情報を含む信号同士の干渉が低減し、センサ情報を良好に計測データ収集解析装置１５１へ伝送することができる。
【００６７】
また、管理対象に供給される電力から得られる電力を用いてセンサ２０２が動作する構成により、センサ２０２の電池交換を行なうための人的リソースおよび時間的リソースが不要となり、電池切れによるセンサ情報の収集機会損失の発生を防ぐことができる。さらに、センサ２０２への電力供給線を短くすることができ、センサ２０２の設置性を向上することができる。
【００６８】
したがって、本発明の第１の実施の形態に係るセンサシステムでは、センサによる計測結果を収集するセンサシステムにおいて、センサの保守性を向上させるとともに、計測結果の収集をより良好に行なうことができる。
【００６９】
また、本発明の第１の実施の形態に係るセンサシステムでは、電圧変換装置１０１は、管理対象に供給される電圧を変換して対象センサに供給する。そして、電圧変換装置１０１は、上記無線通信装置を含む。
【００７０】
このような構成により、たとえば、管理対象の電源電圧レベルとセンサ２０２の電源電圧レベルとが大きく異なる場合でも、管理対象に供給される電力を用いてセンサ２０２に電力を良好に供給することができる。また、電圧変換装置１０１内において無線通信装置に電力を供給することができるため、一体化によるシステム構成の簡易化を実現しながら、電力供給経路の簡素化を実現することができる。
【００７１】
また、本発明の第１の実施の形態に係る電圧変換装置では、電圧変換回路２２は、管理対象に供給される電圧を変換して各センサ２０２のうちの少なくともいずれか１つに供給する。そして、無線通信部は、各センサ２０２から通信線１８２を介して受信したセンサ情報を計測データ収集解析装置１５１へ無線伝送する。
【００７２】
このように、各センサ２０２において作成されるセンサ情報を無線通信装置へ有線伝送し、無線通信装置から各センサ情報を計測データ収集解析装置１５１へ無線伝送する構成により、センサ情報を含む信号同士の干渉が低減し、センサ情報を良好に計測データ収集解析装置１５１へ伝送することができる。
【００７３】
また、管理対象に供給される電力から得られる電力を用いてセンサ２０２が動作可能とする構成により、センサ２０２の電池交換を行なうための人的リソースおよび時間的リソースが不要となり、電池切れによるセンサ情報の収集機会損失の発生を防ぐことができる。また、センサ２０２への電力供給線を短くすることができ、センサ２０２の設置性を向上することができる。
【００７４】
したがって、本発明の第１の実施の形態に係る電圧変換装置では、センサによる計測結果を収集するセンサシステムにおいて、センサの保守性を向上させるとともに、計測結果の収集をより良好に行なうことができる。
【００７５】
また、たとえば、管理対象の電源電圧レベルとセンサ２０２の電源電圧レベルとが大きく異なる場合でも、管理対象に供給される電力を用いてセンサ２０２に電力を良好に供給することができる。また、電圧変換装置１０１内において無線通信装置に電力を供給することができるため、一体化によるシステム構成の簡易化を実現しながら、電力供給経路の簡素化を実現することができる。
【００７６】
次に、本発明の他の実施の形態について図面を用いて説明する。なお、図中同一または相当部分には同一符号を付してその説明は繰り返さない。
【００７７】
＜第２の実施の形態＞
本実施の形態は、第１の実施の形態に係るセンサシステムと比べてセンサ情報の伝送経路を変更したセンサシステムに関する。以下で説明する内容以外は第１の実施の形態に係るセンサシステムと同様である。
【００７８】
図４は、本発明の第２の実施の形態に係るセンサシステムの構成を示す図である。
【００７９】
図４を参照して、センサシステム３０２は、本発明の第１の実施の形態に係るセンサシステムと比べて、電圧変換装置１０１の代わりに電圧変換装置１１１を備え、センサ２０２の代わりにセンサ２１２を備え、また、通信線１８２を備えない構成である。
【００８０】
センサ２１２は、電力線通信を行なうことが可能であり、センサ情報を電力線１８１経由で電圧変換装置１１１へ送信する。
【００８１】
電圧変換装置１１１は、無線通信装置を含むとともに電力線通信を行なうことが可能であり、各センサ２１２から電力線１８１経由で受信したセンサ情報を計測データ収集解析装置１５１へ無線伝送する。
【００８２】
すなわち、センサ２１２における電力線通信部は、電圧変換装置１１１によって変換された電圧が自己に供給される電力線１８１を介してセンサ情報を送信する。
【００８３】
電圧変換装置１１１における電力線通信部は、電力線１８１を介してセンサ２１２からのセンサ情報を受信する。
【００８４】
図５は、本発明の第２の実施の形態に係るセンサシステムにおけるセンサの構成を示す図である。
【００８５】
図５を参照して、センサ２１２は、本発明の第１の実施の形態に係るセンサと比べて、さらに、フィルタ１５を備え、また、通信部１１の代わりに通信部（電力線通信部）３１を備える。
【００８６】
通信部３１は、演算処理部１２から受けたセンサ情報を、たとえば電力線通信の規格に従ったアナログ信号に変換して電力線１８１へ出力する。
【００８７】
フィルタ１５は、たとえばローパスフィルタであり、電力線１８１から受ける信号の周波数成分のうち、所定の周波数以上の帯域の成分を減衰させる。すなわち、フィルタ１５は、電力線１８１から供給される直流電圧に含まれる電力線通信の信号を減衰させる。これにより、電圧供給部１４には、電力線通信の信号が減衰された、電圧変換装置１１１からの直流電圧が電力線１８１経由で供給される。
【００８８】
電圧供給部１４は、フィルタ１５を通過した電圧変換装置１１１からの直流電圧を、センサ２１２における各ユニットに供給する。
【００８９】
図６は、本発明の第２の実施の形態に係るセンサシステムにおける電圧変換装置の構成を示す図である。
【００９０】
図６を参照して、電圧変換装置１１１は、本発明の第１の実施の形態に係るセンサと比べて、通信部２１の代わりに通信部（電力線通信部）４１を備える。
【００９１】
通信部４１は、各センサ２１２から電力線１８１を介して受けた、電力線通信の規格に従ったアナログ信号を受信する。そして、通信部４１は、受信したアナログ信号に含まれるセンサ情報を、たとえば、ＩＥＥＥ８０２．１５．４規格に従い、所定のフレームフォーマットのパケットに含め、当該パケットを無線信号に変換してアンテナ２３から送信する。
【００９２】
以上のように、本発明の第２の実施の形態に係るセンサシステムでは、センサ２１２における通信部３１は、電圧変換装置１１１によって変換された電圧が自己に供給される電力線１８１を介してセンサ情報を電圧変換装置１１１へ送信する。そして、電圧変換装置１１１における通信部４１は、電力線１８１を介してセンサ２１２からのセンサ情報を受信する。
【００９３】
このような構成により、センサ２１２への電力供給経路およびセンサ２１２からのセンサ情報の伝送経路を共通化することができるため、システム構成の簡易化を実現することができる。また、電力線１８１は、たとえば大電圧が供給される管理対象への電力供給経路とは電圧変換装置１１１によって隔離されているため、センサ情報を良好に伝送することができる。
【００９４】
その他の構成および動作は第１の実施の形態に係るセンサシステムと同様であるため、ここでは詳細な説明を繰り返さない。
【００９５】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【００９６】
以上の説明は、以下に付記する特徴を含む。
【００９７】
［付記１］
管理対象に関する計測を行い、計測結果を示すセンサ情報を有線伝送する複数のセンサと、
各前記センサから受信した前記センサ情報を他の装置へ無線伝送する無線通信装置とを備え、
前記各センサのうちの少なくともいずれか１つである対象センサは、前記管理対象に供給される電力から得られる電力を用いて動作し、
前記センサシステムは、さらに、
前記管理対象に供給される交流電圧を直流電圧に変換して前記対象センサに供給する電圧変換装置を備え、
前記電圧変換装置は、前記管理対象の近くに配置される、センサシステム。
【００９８】
［付記２］
管理対象に関する計測を行い、計測結果を示すセンサ情報を有線伝送する複数のセンサを備えるセンサシステムにおける電圧変換装置であって、
前記管理対象に供給される電圧を変換して各前記センサのうちの少なくともいずれか１つである対象センサに供給する電圧変換回路と、
前記各センサから受信した前記センサ情報を他の装置へ無線伝送する無線通信部とを備え、
前記電圧変換回路は、前記管理対象に供給される交流電圧を直流電圧に変換して前記対象センサに供給し、
前記電圧変換装置は、前記管理対象の近くに配置される、電圧変換装置。
【符号の説明】
【００９９】
１１  通信部
１２  演算処理部
１３  センサ部
１４  電圧供給部
１５  フィルタ
２１  通信部（無線通信部）
２２  電圧変換回路
２３  アンテナ
３１，４１  通信部（電力線通信部）
５１  分岐回路
１０１，１１１  電圧変換装置
１５１  計測データ収集解析装置
１６１  モータ
１６２  ポンプ
１８１  電力線
１８２  通信線
２０２，２１２  センサ
３０１，３０２  センサシステム
【図１】
2015210756.tif 000003
【図２】
2015210756.tif 000004
【図３】
2015210756.tif 000005
【図４】
2015210756.tif 000006
【図５】
2015210756.tif 000007
【図６】
2015210756.tif 000008